(57)【特許請求の範囲】
【請求項１】
薄い合成樹脂製のシートで上方に開口した一つの独立する袋状に形成され、分別した分別ゴミを内部に収容するための分別ゴミ収容袋であって、
分別ゴミ収容袋本体の上端開口縁よりも若干下側の位置に、該分別ゴミ収容袋本体の周方向に延びる上端ミシン目が設けられ、
前記上端ミシン目より下側に位置する開口縁から前記上端開口縁側に突出する複数の結び片が形成されるようにそれぞれミシン目によって前記上端開口縁側から前記開口縁側に臨むように切り込んだ複数の切り込み片が形成され、
前記上端ミシン目は、前記複数の切り込み片のうちの少なくとも周方向で互いに相隣なる２つの切り込み片の上端同士の間を連結し、且つ前記複数の切り込み片をなすミシン目と鈍角で連なるように設けられていることを特徴とする分別ゴミ収容袋。
【請求項２】
前記各切り込み片のうちの周方向で互いに相隣なる全ての切り込み片の上端同士の間が前記上端ミシン目によってそれぞれ連結されて無端帯状につながっている請求項１に記載の分別ゴミ収容袋。
【請求項３】
前記各切り込み片は、前記上端開口縁側から前記開口縁側に向かって先細り状に形成されていることを特徴とする請求項１又は２に記載の分別ゴミ収容袋。
【請求項４】
前記各切り込み片は、浅深２種類の浅切り込み片及び深切り込み片を備えている請求項１〜請求項３のいずれか１つに記載の分別ゴミ収容袋。
【請求項５】
前記浅切り込み片のミシン目及び前記上端ミシン目は、前記深切り込み片のミシン目に比して、前記上端開口縁から切り離し易くなるように密に設定されている請求項４に記載の分別ゴミ収容袋。
【請求項６】
前記深切り込み片のミシン目は、前記浅切り込み片のミシン目及び前記上端ミシン目に対し当該浅切り込み片のミシン目及び上端ミシン目の切り離しによる連鎖が伝わり難くなるように離間している請求項４又は請求項５に記載の分別ゴミ収容袋。
【発明の詳細な説明】
【技術分野】
【０００１】
本発明は、分別したゴミを内部に収容する分別ゴミ収容袋に関する。
【背景技術】
【０００２】
この種の分別ゴミ収容袋としては、薄い合成樹脂製のシートで上方に開口した袋状に形成され、分別した分別ゴミを内部に収容するようにしたものがある（例えば、特許文献１参照）。
【０００３】
このものでは、内部に分別ゴミを収容した分別ゴミ収容袋の開口縁を閉じる手段がなく、各自が開口縁を引き延ばして無理に結わえたり、別途紐を用いて縛ったりして、開口縁を閉じていた。しかし、このように開口縁を閉じていると、人によっては結わえや縛りが不十分となり易く、ゴミ置き場に分別ゴミ収容袋を廃棄した際に開口縁が不慮に開いてしまうことがある。
【０００４】
そこで、上方に開口する袋状の分別ゴミ収容袋の開口縁に、上方へ突出する複数の結び片を設けたものが提案されている（例えば、特許文献２参照）。この各結び片は、分別ゴミ収容袋の上端開口縁の周方向等間隔置きの複数箇所において当該上端開口縁の下方に位置する開口縁まで切り込んで形成され、万人が同じ手法で開口縁を確実に閉じてゴミ置き場に分別ゴミ収容袋を廃棄した際の開口縁の不慮の開きを確実に防止している。
【先行技術文献】
【特許文献】
【０００５】
【特許文献１】特開２０００−２１２４７７号公報
【特許文献２】特開２００５−８２２２１号公報
【発明の概要】
【発明が解決しようとする課題】
【０００６】
ところが、前記提案のものでは、各結び片が分別ゴミ収容袋の開口縁より上方へ突出しているため、開口縁から分別ゴミを投入する際に、各結び片が邪魔になって分別ゴミが円滑に投入できない。しかも、分別ゴミによっては、生ものの腐敗臭やペット類の糞尿などのように悪臭を放つものもあり、このような分別ゴミの投入を各結び片によって邪魔されることなく迅速かつ円滑に行いつつ、分別ゴミの投入後に開口縁を迅速かつ確実に閉じたいという要求もある。
【０００７】
本発明は、かかる点に鑑みてなされたものであり、その目的とするところは、分別ゴミを投入する際に各結び片によって邪魔されることなく迅速かつ円滑に投入することができるとともに、分別ゴミの投入後に開口縁を迅速かつ確実に閉じることができる分別ゴミ収容袋を提供することにある。
【課題を解決するための手段】
【０００８】
前記目的を達成するため、本発明が講じた解決手段は、薄い合成樹脂製のシートで上方に開口した一つの独立する袋状に形成され、分別した分別ゴミを内部に収容するための分別ゴミ収容袋であって、分別ゴミ収容袋本体の上端開口縁よりも若干下側の位置に、該分別ゴミ収容袋本体の周方向に延びる上端ミシン目が設けられ、前記上端ミシン目より下側に位置する開口縁から前記上端開口縁側に突出する複数の結び片が形成されるようにそれぞれミシン目によって前記上端開口縁側から前記開口縁側に臨むように切り込んだ複数の切り込み片が形成され、前記上端ミシン目は、前記複数の切り込み片のうちの少なくとも周方向で互いに相隣なる２つの切り込み片の上端同士の間を連結し、且つ前記複数の切り込み片をなすミシン目と鈍角で連なるように設けられていることを特徴としている。
【０００９】
また、前記各切り込み片のうちの周方向で互いに相隣なる全ての切り込み片の上端同士の間を前記上端ミシン目によってそれぞれ連結して無端帯状につなげていてもよい。
【００１０】
また、前記各切り込み片を、前記上端開口縁側から前記開口縁側に向かって先細り状に形成することが好ましい。
【００１１】
また、前記各切り込み片に、浅深２種類の浅切り込み片及び深切り込み片を設けることが好ましい。
【００１２】
また、前記浅切り込み片のミシン目及び前記上端ミシン目を、前記深切り込み片のミシン目に比して、前記上端開口縁から切り離し易くなるように密に設定することが好ましい。
【００１３】
更に、前記深切り込み片のミシン目を、前記浅切り込み片のミシン目及び前記上端ミシン目に対し当該浅切り込み片のミシン目及び上端ミシン目の切り離しによる連鎖が伝わり難くなるように離間させることが好ましい。
【発明の効果】
【００１４】
以上、要するに、開口縁よりから上端開口縁側に突出する複数の結び片が形成されるようにそれぞれミシン目によって上端開口縁側から開口縁側に臨むように切り込んだ複数の切り込み片を設けることで、分別ゴミを投入する際に開口縁よりから上端開口縁側に突出する各結び片によって邪魔されることなくその開口縁よりも上方の上端開口縁から迅速かつ円滑に投入することができる。
一方、開口縁を閉じる際に各切り込み片を上端開口縁よりミシン目に沿って切り離すことで、各結び片による結わえが可能となり、ゴミ置き場に分別ゴミ収容袋を廃棄した際の開口縁の不慮の開きを確実に防止することができる。
しかも、分別ゴミ収容袋本体の上端開口縁よりも若干下側の位置に、分別ゴミ収容袋本体の周方向に延びる上端ミシン目によって、各切り込み片のうちの少なくとも周方向で互いに相隣なる２つの切り込み片の上端同士の間を連結し、且つ前記複数の切り込み片をなすミシン目と鈍角で連なるように設けることで、開口縁を閉じる際に各切り込み片が上端開口縁よりミシン目及び上端ミシン目に沿って効率よく切り離され、生ものの腐敗臭やペット類の糞尿などのように悪臭を放つ分別ゴミの投入後に開口縁を迅速かつ確実に閉じることができる。
【００１５】
また、全ての切り込み片の上端同士の間を上端ミシン目によってそれぞれ連結して無端帯状につなげることで、全ての切り込み片を一挙に切り離すことができ、悪臭を放つ分別ゴミの投入後に開口縁をより迅速かつ確実に閉じることができる。
【００１６】
また、各切り込み片を上端開口縁側から開口縁側に向かって先細り状に形成することで、結び片同士により結わえて開口縁を閉じると、ミシン目に沿って切り離した各切り込み片の互いに相隣なる先端（下端）同士の間が近接し合っているために、当該各切り込み片の切除により表れる分別ゴミ収容袋本体の切除部位が隙間なく閉ざされ、内部に収容した分別ゴミからの悪臭の洩れ出しを確実に防止することができる。
【００１７】
また、各切り込み片に、浅深２種類の浅切り込み片及び深切り込み片を備えることで、開口縁を閉じる際に内部に収容された分別ゴミの量に応じて浅切り込み片又は深切り込み片をミシン目に沿って切り離し、長い結び片同士又は短い結び片同士により結わえて開口縁を迅速かつ確実に閉じることができる。
【００１８】
また、浅切り込み片のミシン目及び上端ミシン目を深切り込み片のミシン目に比して密に設定し、上端開口縁から浅切り込み片を切り離し易くすることで、内部に大量の分別ゴミが収容された際にミシン目に沿って深切り込み片を誤って切り離してしまうことが防止され、浅切り込み片をミシン目に沿って簡単に切り離すことができる。
【００１９】
更に、深切り込み片のミシン目を、浅切り込み片のミシン目及び上端ミシン目に対し当該浅切り込み片のミシン目及び上端ミシン目の切り離しによる連鎖が伝わり難くなるように離間させることで、浅切り込み片を切り離す際に誤って深切り込み片を切り離してしまうことが効果的に防止され、浅切り込み片をより確実に切り離すことができる。
【図面の簡単な説明】
【００２０】
【図１】本発明の第１の実施の形態に係る分別ゴミ収容袋を正面から見た正面図である。
【図２】図１の分別ゴミ収容袋を正面側から見た斜視図である。
【図３】図２の分別ゴミ収容袋の上端開口縁から切り込み片をミシン目及び上端ミシン目に沿って切り離した状態の斜視図である。
【図４】第１の実施の形態の変形例に係る分別ゴミ収容袋を正面から見た正面図である。
【図５】図４の分別ゴミ収容袋を正面側から見た斜視図である。
【図６】第１の実施の形態のその他の変形例に係る分別ゴミ収容袋を正面から見た正面図である。
【図７】図６の分別ゴミ収容袋を正面側から見た斜視図である。
【図８】本発明の第２の実施の形態に係る分別ゴミ収容袋を正面から見た正面図である。
【図９】図８の分別ゴミ収容袋を正面側から見た斜視図である。
【図１０】図９の分別ゴミ収容袋の上端開口縁から浅切り込み片をミシン目及び上端ミシン目に沿って切り離した状態の斜視図である。
【図１１】図９の分別ゴミ収容袋の上端開口縁から深切り込み片をミシン目及び上端ミシン目に沿って切り離した状態の斜視図である。
【図１２】第２の実施の形態の変形例に係る分別ゴミ収容袋を正面から見た正面図である。
【図１３】図１２の分別ゴミ収容袋を正面側から見た斜視図である。
【図１４】第２の実施の形態のその他の変形例に係る分別ゴミ収容袋を正面から見た正面図である。
【図１５】図１４の分別ゴミ収容袋を正面側から見た斜視図である。
【発明を実施するための形態】
【００２１】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２２】
図１は本発明の実施の形態に係る分別ゴミ収容袋を正面から見た正面図、図２は分別ゴミ収容袋を正面側から見た斜視図、図３は分別ゴミ収容袋の上端開口縁から切り込み片をミシン目及び上端ミシン目に沿って切り離した状態の斜視図をそれぞれ示している。
【００２３】
図１〜図３において、１は本発明の実施の形態に係る分別ゴミ収容袋であって、この分別ゴミ収容袋１は、分別した分別ゴミを内部に収容するために供される。また、分別ゴミ収容袋１は、高密度ポリエチレン製（薄い合成樹脂）のシートで上方に開口した袋状に形成された分別ゴミ収容袋本体１０を備えている。
【００２４】
分別ゴミ収容袋本体１０の上端開口縁１６には、この上端開口縁１６より若干下方に所定距離Ｓ（例えば２０〜３０ｍｍ）だけ離間した位置を周方向に延びる上端ミシン目１７が設けられている。この上端ミシン目１７は、上端開口縁１６の周方向等間隔置きの４箇所に形成され、上端開口縁１６の下方に位置する開口縁１１より上方へ突出する複数の結び片１４，１４，…が形成されるようにそれぞれミシン目１２，１２，…によって下方へ先細り状に切り込んだ略Ｕ字状の４つの切り込み片１３，１３，…の上端同士の間を連結している。そして、４つの全ての切り込み片１３，１３，…は、ミシン目１２及び上端ミシン目１７によって上端開口縁１６の周方向に一体的に連結され、無端帯状につながっている。この場合、各切り込み片１３は、上端開口縁１６の周方向等間隔置きの４箇所に形成されている。
【００２５】
そして、各切り込み片１３は、上端開口縁１６から分別ゴミを投入する際にミシン目１２及び上端ミシン目１７によって上端開口縁１６に連結されている。一方、各切り込み片１３は、開口縁１１を閉じる際に各結び片１４による結わえが可能となるように、上端開口縁１６よりミシン目１２及び上端ミシン目１７に沿って切り離される。このとき、各切り込み片１３が上端開口縁１６よりミシン目１２及び上端ミシン目１７に沿って切り離されると、切り離されなかった残る部分に４つの結び片１４，１４，…が表れる。
【００２６】
この場合、結び片１４，１４同士の結わえが開口縁１１の周方向に１つ飛ばして行われると、開口縁１１が閉じ易くなるが、これに限らず、互いに隣接する結び片１４，１４同士が互いに結えられていてもよい。また、各切り込み片１３は、ミシン目１２及び上端ミシン目１７に沿って切り離されると、分別ゴミ収容袋本体１０の一部として分別ゴミ収容袋１の内部に廃棄される。
【００２７】
ここで、分別ゴミ収容袋１のサイズにつて詳細に説明する。
この分別ゴミ収容袋１は、３０リットルの分別ゴミを収容可能とする３０Ｌタイプのものであり、分別ゴミ収容袋本体１０の縦方向の長さＬが７００ｍｍに、横方向の幅Ｅが５００ｍｍにそれぞれ設定されている。各切り込み片１３の上端開口縁１６から下方への切り込み深さＭは、分別ゴミ収容袋本体１０の縦方向の長さＬの略四分の一以下（例えば略１５０ｍｍ）に設定されている。また、互いに隣接する切り込み片１３，１３同士の上端ミシン目１７での離間距離は略１１６ｍｍに設定されている。
【００２８】
したがって、本実施の形態では、開口縁１１より上方へ突出する４つの結び片１４，１４，…が形成されるようにそれぞれミシン目１２によって下方へ切り込んだ略Ｕ字状の４つの切り込み片１３，１３，…が設けられているので、分別ゴミを投入する際に開口縁１１より上方へ突出する各結び片１４によって邪魔されることなくその開口縁１４よりも上方の上端開口縁１６から迅速かつ円滑に投入することができる。
一方、開口縁１１を閉じる際に各切り込み片１３が上端開口縁１６よりミシン目１２及び上端ミシン目１７に沿って切り離されるので、各結び片１４による結わえが可能となり、ゴミ置き場に分別ゴミ収容袋１を廃棄した際の開口縁１１の不慮の開きを確実に防止することができる。
【００２９】
しかも、分別ゴミ収容袋本体１０の上端開口縁１６よりも若干下方に離間した位置を周方向に延びる上端ミシン目１７によって、４つの切り込み片１３，１３，…の上端同士の間が連結されているので、開口縁１１を閉じる際に各切り込み片１３が上端開口縁１６よりミシン目１２及び上端ミシン目１７に沿って一挙に切り離され、生ものの腐敗臭やペット類の糞尿などのように悪臭を放つ分別ゴミの投入後に開口縁を迅速かつ確実に閉じることができる。
【００３０】
更に、各切り込み片１３は、それぞれミシン目１２によって下方へ先細り状に切り込まれていることにより、結び片１４，１４同士により結わえて開口縁１１を閉じると、ミシン目１２に沿って切り離した各切り込み片１３の互いに相隣なる先端（下端）同士の間が近接し合っているために、当該各切り込み片１３の切除により表れる分別ゴミ収容袋本体１０の切除部位が隙間なく閉ざされ、内部に収容した分別ゴミからの悪臭の洩れ出しを確実に防止することができる。
【００３１】
なお、前記第１の実施の形態では、全ての切り込み片１３，１３，…の上端同士の間を上端ミシン目１７によって上端開口縁１６の周方向に一体的に連結して無端帯状につなげたが、各切り込み片のうちの周方向で互いに隣接する２つの切り込み片の上端同士の間のみが２つの上端ミシン目によって一体的に連結されて２本の有端帯状につなげられていたり、周方向で互いに隣接する３つの切り込み片の上端同士の間のみが１つの上端ミシン目によって一体的に連結されて１本の有端帯状につなげられて残る単一の切り込み片のみが単独に分割されていたり、周方向に隣接する４つの切り込み片の上端同士の間が３つの上端ミシン目によってそれぞれ一体的に連結されて１本の有端帯状につなげられていてもよい。この場合には、上端ミシン目によって連結された複数の切り込み片を分別ゴミ収容袋本体の周方向の表裏両側から円滑かつ迅速に切り離すことが可能となる。
更に、各切り込み片のうちの周方向で互いに隣接する２つの切り込み片の上端同士の間のみが１つの上端ミシン目によって一体的に連結されて１本の有端帯状につなげられ、残る２つの切り込み片がそれぞれ単独に分割されていてもよい。この場合においても、１つの上端ミシン目によって連結された２つの切り込み片のみを円滑かつ迅速に切り離すことが可能となる。
【００３２】
また、前記第１の実施の形態では、上端開口縁１６より下方へ先細り状に切り込んだ略Ｕ字状の切り込み片１３，１３，…を設けたが、図４及び図５に示すように、分別ゴミ収容袋２の分別ゴミ収容袋本体２０の上端開口縁２６に、この上端開口縁２６より若干下方に所定距離Ｓ（例えば２０〜３０ｍｍ）だけ離間した位置を周方向等間隔置きに延びる上端ミシン目２７を設け、この上端ミシン目２７が、上端開口縁２６下方の開口縁２１より上方へ突出する複数の結び片２４，２４，…が形成されるようにそれぞれミシン目２２，２２，…によって下方へ切り込んだ略Ｖ字状の４つの切り込み片２３，２３，…の上端同士の間を連結していてもよい。この４つの全ての切り込み片２３，２３，…は、ミシン目２２及び上端ミシン目２７によって上端開口縁２６の周方向に一体的に連結され、無端帯状につながっている。この場合においても、本実施の形態と同一の作用効果を奏することができる。
【００３３】
これに対し、図６及び図７に示すように、分別ゴミ収容袋３の分別ゴミ収容袋本体３０の上端開口縁３６に、この上端開口縁３６より若干下方に所定距離Ｓ（例えば２０〜３０ｍｍ）だけ離間した位置を周方向等間隔置きに延びる上端ミシン目３７を設け、この上端ミシン目３７が、上端開口縁３６下方の開口縁３１より上方へ突出する複数の結び片３４，３４，…が形成されるようにそれぞれミシン目３２，３２，…によって下方へ切り込んだ略コ字状の４つの切り込み片３３，３３，…の上端同士の間を連結していてもよい。この４つの全ての切り込み片３３，３３，…は、ミシン目３２及び上端ミシン目３７によって上端開口縁３６の周方向に一体的に連結され、無端帯状につながっている。この場合においても、本実施の形態と同一の作用効果を奏することができる。
【００３４】
また、前記第１の実施の形態では、上端開口縁１６，２６，３６に、それぞれミシン目１２，２２，３２によって下方へ先細り状に切り込んだ略Ｕ字状、略Ｖ字状又は略コ字状の４つの切り込み片１３，２３，３３を設けたが、略Ｕ字状、略Ｖ字状又は略コ字状の切り込み片はいずれも先細り状に形成されていなくてもよく、結び片同士により結わえて開口縁を閉じれば、各切り込み片の切除により表れる分別ゴミ収容袋本体の切除部位が十分に隙間なく閉ざされ、内部に収容した分別ゴミからの悪臭の洩れ出しを確実に防止することが可能となる。
【００３５】
次に、本発明の第２の実施の形態を図８〜図１１に基づいて説明する。
【００３６】
本実施の形態では、前記第１の実施の形態の切り込み片及び結び片の構成を変更している。図８は本発明の第２の実施の形態に係る分別ゴミ収容袋を正面から見た正面図、図９は分別ゴミ収容袋を正面側から見た斜視図をそれぞれ示している。
【００３７】
すなわち、本実施の形態では、図８及び図９に示すように、分別ゴミ収容袋１´の分別ゴミ収容袋本体１０´の上端開口縁１６には、この上端開口縁１６の下方に位置する開口縁１１（１１Ｋ）より上方へ４つずつ突出する２種類の長短結び片１４１，１４２（結び片）が形成されるように、それぞれミシン目１２１，１２２によって下方へ先細り状に４つずつ浅深に切り込んだ略Ｕ字状の２種類の浅深切り込み片１３１，１３２が設けられている。また、上端開口縁１６より若干下方に所定距離Ｓだけ離間した位置を周方向に延びる上端ミシン目１７の両端は、上端開口縁１６の周方向で互いに相隣なる浅切り込み片１３１，１３１のミシン目１２１の上端同士の間に連結されている。そして、４つの全ての浅切り込み片１３１，１３１，…は、ミシン目１２１及び上端ミシン目１７によって上端開口縁１６の周方向に一体的に連結され、無端帯状につながっている。この場合、各浅切り込み片１３１は、上端開口縁１６の周方向等間隔置きの４箇所に形成されている。
【００３８】
各深切り込み片１３２の下方への切り込み深さＮは、各浅切り込み片１３１の下方への切り込み深さＭの略２倍に設定されている。なお、各深切り込み片１３２の下方への切り込み深さＮは、これに限定されるものではなく、各浅切り込み片１３１の下方への切り込み深さＭの略１．５倍以上で、かつ分別ゴミ収容袋本体１０の縦方向の長さＬの半分未満の長さの範囲内に設定されていればよい。
【００３９】
図１０は分別ゴミ収容袋１の上端開口縁１６から浅切り込み片１３１をミシン目１２１及び上端ミシン目１７に沿って切り離した状態の斜視図、図１１は分別ゴミ収容袋１の上端開口縁１６から深切り込み片１３２をミシン目１２２及び上端ミシン目１７に沿って切り離した状態の斜視図をそれぞれ示している。この図１０及び図１１にも示すように、各切り込み片１３１，１３２は、上端開口縁１６の周方向等間隔置きの４箇所においてそれぞれ形成され、上端開口縁１６の周方向等間隔置きの４箇所を下方に切除した残る部分に開口縁１１（又は１１Ｋ）より上方へ突出する結び片としての短結び片１４１（又は長結び片１４２）が表れる。
【００４０】
そして、浅切り込み片１３１及び深切り込み片１３２のいずれか一方は、開口縁１１（１１Ｋ）を閉じる際に内部に収容された分別ゴミの量に応じて該当するミシン目１２１（又は１２２）に沿って切り離される。このとき、浅切り込み片１３１及び深切り込み片１３２のいずれか一方が上端開口縁１６よりミシン目１２１（又は１２２）及び上端ミシン目１７に沿って切り離されると、長短２種類ずつの４つの結び片１４１，１４２が表れる。この場合、短結び片１４１，１４１（又は長結び片１４２，１４２）同士の結わえが開口縁１１（又は１１Ｋ）の周方向に１つ飛ばして行われると、開口縁１１（又は１１Ｋ）が閉じ易くなるが、これに限らず、互いに隣接する短結び片１４１，１４１（又は長結び片１４２，１４２）同士が互いに結えられていてもよい。この場合、浅切り込み片１３１（又は深切り込み片１３２）は、ミシン目１２１（又は１２２）に沿って切り離されると、分別ゴミ収容袋本体１０の一部として分別ゴミ収容袋１の内部に廃棄される。
【００４１】
また、浅切り込み片１３１及び深切り込み片１３２を各々切り込むミシン目１２１，１２２のうち、各浅切り込み片１３１のミシン目１２１及び上端ミシン目１７は、各深切り込み片１３２のミシン目１２２に比して、上端開口縁１６から各浅切り込み片１３１が切り離し易くなるように密に設定されている。更に、各深切り込み片１３２のミシン目１２２は、各浅切り込み片１３１のミシン目１２１に対し交叉することなく当該各浅切り込み片１３１のミシン目１２１の外周囲側に離間して設けられている。また、各深切り込み片１３２のミシン目１２２の上端は、各浅切り込み片１３１のミシン目１２１及び上端ミシン目１７に対し当該各浅切り込み片１３１の切り離しによる連鎖が伝わり難くなるように離間して設けられている。
【００４２】
ここで、分別ゴミ収容袋１´のサイズについて詳細に説明する。
この分別ゴミ収容袋１´は、３０リットルの分別ゴミを収容可能とする３０Ｌタイプのものであり、分別ゴミ収容袋本体１０´の縦方向の長さＬが７００ｍｍに、横方向の幅Ｅが５００ｍｍにそれぞれ設定されている。各浅切り込み片１３１の上端開口縁１６から下方への切り込み深さＭは、分別ゴミ収容袋本体１０´の縦方向の長さＬの略四分の一以下（例えば略１５０ｍｍ以下）に設定されている。また、各深切り込み片１３２の上端開口縁１６から下方への切り込み深さＮは、分別ゴミ収容袋本体１０´の縦方向の長さＬの略二分の一以下（例えば略３００ｍｍ以下）に設定されている。更に、互いに周方向に隣接する浅切り込み片１３１，１３１同士の上端ミシン目１７での離間距離は、略１１６ｍｍに設定されている。
【００４３】
したがって、本実施の形態では、開口縁１１，１１Ｋより上方へ突出する４つずつの長短結び片１４１，１４２が形成されるようにそれぞれミシン目１２１，１２２によって下方へ切り込んだ略Ｕ字状の４つずつの浅深切り込み片１３１，１３２が設けられているので、分別ゴミを投入する際に開口縁１１，１１Ｋより上方へ突出する長短結び片１４１，１４２によって邪魔されることなくその開口縁１１，１１Ｋよりも上方の上端開口縁１６から迅速かつ円滑に投入することができる。
一方、開口縁１１（又は１１Ｋ）を閉じる際に各浅切り込み片１３１（又は各深切り込み片１３２）が上端開口縁１６よりミシン目１２１（又は１２２）及び上端ミシン目１７に沿って切り離されるので、短結び片１４１（又は長結び片１４２）による結わえが可能となり、ゴミ置き場に分別ゴミ収容袋１´を廃棄した際の開口縁１１（又は１１Ｋ）の不慮の開きを確実に防止することができる。
【００４４】
しかも、分別ゴミ収容袋本体１０´の上端開口縁１６よりも若干下方に離間した位置を周方向に延びる上端ミシン目１７によって、４つの浅切り込み片１３１，１３１，…の上端同士の間が連結されているので、開口縁１１を閉じる際に各切り込み片１３１が上端開口縁１６よりミシン目１２１及び上端ミシン目１７に沿って一挙に切り離され、生ものの腐敗臭やペット類の糞尿などのように悪臭を放つ分別ゴミの投入後に開口縁１１を迅速かつ確実に閉じることができる。
【００４５】
更に、各浅深切り込み片１３１，１３２は、それぞれミシン目１２１，１２２によって下方へ先細り状となるように切り込まれていることにより、各短結び片１４１（又は長結び片１４２）により結わえて開口縁１１（又は１１Ｋ）を閉じると、ミシン目１２１，１２２に沿って切り離した各浅切り込み片１３１（又は各深切り込み片１３２）の互いに相隣なる先端（下端）同士の間が近接し合っているために、当該各浅切り込み片１３１（又は各深切り込み片１３２）の切除により表れる分別ゴミ収容袋本体１０´の切除部位が隙間なく閉ざされ、内部に収容した分別ゴミからの悪臭の洩れ出しを確実に防止することができる。しかも、開口縁１１（又は１１Ｋ）を閉じる際に内部に収容された分別ゴミの量に応じて、各浅切り込み片１３１（又は各深切り込み片１３２）がミシン目１２１（又は１２２）及び上端ミシン目１７に沿って切り離されることにより、内部に収容された分別ゴミの量に応じて浅切り込み各片１３１（又は各深切り込み片１３２）を切り離した短結び片１４１，１４１同士（又は長結び片１４２，１４２同士）により結わえて開口縁１１（又は１１Ｋ）を迅速かつ確実に閉じることができる。
【００４６】
また、各浅切り込み片１３１のミシン目１２１及び上端ミシン目１７が各深切り込み片１３２のミシン目１２２に比して密に設定されて上端開口縁１６から各浅切り込み片１３１をミシン目１２１及び上端ミシン目１７に沿って切り離し易くしているので、内部に大量の分別ゴミが収容された際にミシン目１２２に沿って各深切り込み片１３２を誤って切り離してしまうことが防止され、各浅切り込み片１３１をミシン目１２１及び上端ミシン目１７に沿って簡単に切り離すことができる。
【００４７】
更に、各深切り込み片１３２のミシン目１２２が、各浅切り込み片１３１のミシン目１２１及び上端ミシン目１７に対し当該各浅切り込み片１３１の切り離しによる連鎖が伝わり難くなるように離間して設けられているので、各浅切り込み片１３１を上端開口縁１６からミシン目１２１及び上端ミシン目１７に沿って切り離す際に誤って各深切り込み片１３２を切り離してしまうことが効果的に防止され、各浅切り込み片１３１をより確実に切り離すことができる。
【００４８】
なお、本発明は前記各実施の形態に限定されるものではなく、その他種々の変形例を包含している。例えば、前記第２の実施の形態では、下方へ先細り状に切り込んだ４つずつ２種類の略Ｕ字状の浅深切り込み片１３１，１３２を設けたが、図１２及び図１３に示すように、分別ゴミ収容袋２´の分別ゴミ収容袋本体２０´の上端開口縁２６に、この上端開口縁２６の下方に位置する開口縁２１（２１Ｋ）より上方へ４つずつ突出する２種類の長短結び片２４１，２４２（結び片）が形成されるように、それぞれミシン目２２１，２２２によって下方へ先細り状に４つずつ浅深に切り込んだ略Ｖ字状の２種類の浅深切り込み片２３１，２３２が設けられていてもよい。上端ミシン目２７の両端は、上端開口縁２６の周方向で互いに相隣なる浅切り込み片２３１，２３１のミシン目２２１の上端同士の間に連結されている。４つの全ての浅切り込み片２３１，２３１，…は、ミシン目２２１及び上端ミシン目２７によって上端開口縁２６の周方向に一体的に連結され、無端帯状につながっている。各深切り込み片２３２の下方への切り込み深さＮは、各浅切り込み片２３１の下方への切り込み深さＭの略２倍に設定されている。各切り込み片２３１，２３２は、上端開口縁２６の周方向等間隔置きの４箇所においてそれぞれ形成され、上端開口縁２６の周方向等間隔置きの４箇所を下方に切除した残る部分に開口縁２１（又は２１Ｋ）より上方へ突出する短結び片２４１（又は長結び片２４２）が表れる。また、各浅切り込み片２３１のミシン目２２１及び上端ミシン目２７は、各深切り込み片２３２のミシン目２２２に比して密に設定されている。各深切り込み片２３２のミシン目２２２は、各浅切り込み片２３１のミシン目２２１に対し交叉することなく当該各浅切り込み片２３１のミシン目２２１の外周囲側に離間して設けている。各深切り込み片２３２のミシン目２２２の上端は、各浅切り込み片２３１のミシン目２２１及び上端ミシン目２７に対し当該各浅切り込み片２３１の切り離しによる連鎖が伝わり難くなるように離間して設けている。この場合においても、本実施の形態と同一の作用効果を奏することができる。
【００４９】
これに対し、図１４及び図１５に示すように、分別ゴミ収容袋３´の分別ゴミ収容袋本体３０´の上端開口縁３６に、この上端開口縁３６の下方に位置する開口縁３１（３１Ｋ）より上方へ４つずつ突出する２種類の長短結び片３４１，３４２（結び片）が形成されるように、それぞれミシン目３２１，３２２によって下方へ先細り状に４つずつ浅深に切り込んだ略コ字状の２種類の浅深切り込み片３３１，３３２が設けられていてもよい。上端ミシン目３７の両端は、上端開口縁３６の周方向で互いに相隣なる浅切り込み片３３１，３３１のミシン目３２１の上端同士の間に連結されている。４つの全ての浅切り込み片３３１，３３１，…は、ミシン目３２１及び上端ミシン目３７によって上端開口縁３６の周方向に一体的に連結され、無端帯状につながっている。各深切り込み片３３２の下方への切り込み深さＮは、各浅切り込み片３３１の下方への切り込み深さＭの略２倍に設定されている。各切り込み片３３１，３３２は、上端開口縁３６の周方向等間隔置きの４箇所においてそれぞれ形成され、上端開口縁３６の周方向等間隔置きの４箇所を下方に切除した残る部分に開口縁３１（又は３１Ｋ）より上方へ突出する短結び片３４１（又は長結び片３４２）が表れる。また、各浅切り込み片３３１のミシン目３２１及び上端ミシン目３７は、各深切り込み片３３２のミシン目３２２に比して密に設定されている。各深切り込み片３３２のミシン目３２２は、各浅切り込み片３３１のミシン目３２１に対し交叉することなく当該各浅切り込み片３３１のミシン目３２１の外周囲側に離間して設けている。各深切り込み片３３２のミシン目３２２の上端は、各浅切り込み片３３１のミシン目３２１及び上端ミシン目３７に対し当該各浅切り込み片３３１の切り離しによる連鎖が伝わり難くなるように離間して設けている。この場合においても、本実施の形態と同一の作用効果を奏することができる。
【００５０】
また、前記各実施の形態では、分別ゴミ収容袋１，１´，２，２´，３，３´として３０Ｌタイプのものを用いたが、これに限定されることはなく、１５リットル又は５０リットルの分別ゴミを収容可能とする１５Ｌタイプ、５０Ｌタイプのものなどが適用されていてもよい。１５Ｌタイプのものでは、縦方向の長さが５００ｍｍに、横方向の幅が３５０ｍｍにそれぞれ設定されているので、切り込み片及び浅切り込み片の下方への切り込み深さが分別ゴミ収容袋本体の縦方向の長さの略四分の一以下（略１２５ｍｍ未満）に、深切り込み片の下方への切り込み深さが分別ゴミ収容袋本体の縦方向の長さの略二分の一以下（略２５０ｍｍ未満）にそれぞれ設定され、互いに周方向に隣接する切り込み片同士及び浅切り込み片同士の上端ミシン目での離間距離は８０ｍｍに設定されている。一方、５０Ｌタイプのものでは、縦方向の長さが８５０ｍｍに、横方向の幅が６５０ｍｍにそれぞれ設定されているので、切り込み片及び浅切り込み片の下方への切り込み深さが分別ゴミ収容袋本体の縦方向の長さの略四分の一以下（略２１０ｍｍ未満）に、深切り込み片の下方への切り込み深さが分別ゴミ収容袋本体の縦方向の長さの略二分の一以下（略４２０ｍｍ未満）にそれぞれ設定され、互いに周方向に隣接する切り込み片及び浅切り込み片同士の上端ミシン目での離間距離は１５０ｍｍに設定されている。
【００５１】
また、前記各実施の形態では、分別ゴミ収容袋本体１０，１０´，２０，２０´，３０，３０´の開口縁１１１１Ｋ，２１，２１Ｋ，３１，３１Ｋに４つの結び片１４，１４１，２４，２４１，３４，３４１…を突出させたが、結び片の数量はこれに限定されるものではなく、２つ以上の結び片が形成されていればよい。
【符号の説明】
【００５２】
１，１´，２，２´，３，３´    分別ゴミ収容袋
１０，１０´，２０，２０´，３０，３０´    分別ゴミ収容袋本体
１１，１１Ｋ，２１，２１Ｋ，３１，３１Ｋ    開口縁
１２，２２，３２            ミシン目
１２１，２２１，３２１      ミシン目
１２２，２２２，３２２      ミシン目
１３，２３，３３            切り込み片
１３１，２３１，３３１      浅切り込み片
１３２，２３２，３３２      深切り込み片
１４，２４，３４            結び片
１４１，２４１，３４１      短結び片
１４２，２４２，３４２      長結び片
１６，２６，３６            上端開口縁
１７，２７，３７            上端ミシン目
【要約】      （修正有）【課題】分別ゴミを投入する際に各結び片によって邪魔されずに迅速かつ円滑に投入することができるとともに、分別ゴミの投入後に開口縁を迅速かつ確実に閉じることができる分別ゴミ収容袋を提供する。【解決手段】分別ゴミ収容袋本体１０の上端開口縁１６に、その若干下方に所定距離Ｓだけ離間した位置を周方向に延びる上端ミシン目１７を設ける。上端ミシン目は、上端開口縁の周方向等間隔置きの４箇所に形成され、上端開口縁の下方に位置する開口縁１１より上方へ突出する複数の結び片１４が形成されるようにそれぞれミシン目１２によって下方へ先細り状に切り込んだ略Ｕ字状の４つの切り込み片１３の上端同士の間を連結し、全ての切り込み片を無端帯状につなげている。【選択図】図１【図１】
0005855297.tif 000002
【図２】
0005855297.tif 000003
【図３】
0005855297.tif 000004
【図４】
0005855297.tif 000005
【図５】
0005855297.tif 000006
【図６】
0005855297.tif 000007
【図７】
0005855297.tif 000008
【図８】
0005855297.tif 000009
【図９】
0005855297.tif 000010
【図１０】
0005855297.tif 000011
【図１１】
0005855297.tif 000012
【図１２】
0005855297.tif 000013
【図１３】
0005855297.tif 000014
【図１４】
0005855297.tif 000015
【図１５】
0005855297.tif 000016